(57)【要約】      （修正有）【課題】ジャックから音声信号が出力されたことを表示する音声出力表示装置に関し、着信音等の音声信号が存在したことを有効に表示し、かつジャックから取り外すことなくジャックと非結合とする。【解決手段】ジャックに先端部２１ａが差し込まれてジャックに保持される基体２１と、その先端部からジャックへの差込方向に突出し、ジャックに対する差込方向および抜取方向にスライド自在に基体に支持されて、ジャックへの差込方向へスライドした状態においてジャックから出力されてきた音声信号を中継する伸縮プラグ２２とを備え、伸縮プラグを、差込方向および抜取方向にユーザ操作に応じて移動させるとともに、差込方向に移動した伸縮プラグを、ジャックにプラグが差し込まれたことが検出される第１の位置で保持し、抜取方向に移動した伸縮プラグを、ジャックにプラグが差し込まれたことの検出を免れる第２の位置で保持する。【選択図】図５
2014042099.tif 000002
【特許請求の範囲】
【請求項１】
音声信号を出力するジャックと該ジャックへのプラグの差込みを検出するプラグ検出機能とを有する電子機器の該ジャックに差し込まれ該ジャックを経由して出力される音声信号の中継を担うプラグ部と、
前記プラグ部を経由して出力されてきた音声信号を受信して、該音声信号が途絶えた後において過去に音声信号が出力されていたことを表示する表示部とを有し、
前記プラグ部が、
前記ジャックに先端部が差し込まれて該ジャックに保持される基体と、
前記先端部から前記ジャックへの差込方向に突出し、該ジャックに対する差込方向および抜取方向にスライド自在に前記基体に支持されて、該ジャックへの差込方向へスライドした状態において該ジャックから出力されてきた音声信号を中継する伸縮プラグとを備え、
前記基体が、前記伸縮プラグを、前記差込方向および前記抜取方向にユーザ操作に応じて移動させ、該差込方向に移動した該伸縮プラグを、前記電子機器により前記ジャックにプラグが差し込まれたことが検出される第１の位置で保持し、該抜取方向に移動した該伸縮プラグを、該ジャックにプラグが差し込まれたことの検出を免れる第２の位置で保持する操作保持機構を備えたことを特徴とする音声出力表示装置。
【請求項２】
前記操作保持機構が、前記基体の後端部に前記差込方向への押下を受ける操作子を備え、該操作子の押下を繰り返すたびに、前記伸縮プラグの、該差込方向へのスライドと前記第１の位置での保持、および前記抜取方向へのスライドと前記第２の位置での保持を交互に行なう操作保持機構であることを特徴とする請求項１記載の音声出力表示装置。
【請求項３】
前記表示部が、音声信号出力が途絶えた後において、過去に音声信号が出力されていたことを第１の表示態様で表示するとともに、音声信号出力中にも、音声信号出力中であることを第２の表示態様で表示するものであることを特徴とする請求項１又は２記載の音声出力表示装置。
【発明の詳細な説明】
【技術分野】
【０００１】
本発明は、ジャックから音声信号が出力されたことを表示する音声出力表示装置に関する。
【背景技術】
【０００２】
携帯電話機など音声を取り扱う電子機器には、一般的に、イヤホンジャックが備えられている。このような電子機器の多くは、イヤホンジャックにイヤホンプラグを差し込むとその電子機器に内蔵されたスピーカへの音声信号の送出は停止してイヤホンジャックから音声信号が出力され、イヤホンジャックからイヤホンプラグを抜き取るとその電子機器に内蔵されたスピーカへの音声信号の送出が再開されてスピーカから音が発せられる構成となっている。
【０００３】
ここで、電話やメールの着信があったときに着信音を鳴らさずに着信があったことを表示するニーズが存在する。このニーズに応えるために上記のジャックを利用することが考えられる。
【０００４】
特許文献１には、イヤホンジャックに差し込まれ音声信号が出力されるとＬＥＤが発光するダミープラグが開示されている。
【０００５】
また、特許文献２には、ヘッドホンジャックにヘッドホンプラグを取り付けたまま、スイッチ操作によりスピーカの出力とヘッドホンの出力を切り換え可能としたヘッドホンプラグが開示されている。
【０００６】
さらに、特許文献３には、押釦を押している間プラグが突き出てそのプラグがジャックと結合する構造のスイッチ装置が開示されている。
【先行技術文献】
【特許文献】
【０００７】
【特許文献１】実用新案登録第３１７０８７４号公報
【特許文献２】実開平７−４２２９３号公報
【特許文献３】特開２０００−２９４３４７号公報
【発明の概要】
【発明が解決しようとする課題】
【０００８】
ここで、電話やメールの着信を考えたとき、上掲の特許文献１に開示されたダミープラグは着信音が存在しているときにＬＥＤが発光するのであって、そのダミープラグのＬＥＤが発光するか否かを常に注視していなければならず、実用的ではない。また、この特許文献１のダミープラグは、ジャックから抜き取らないとスピーカによる音声出力を行なうことができない。
【０００９】
また、上掲の特許文献２に開示されたヘッドホンプラグは、音声の出力ルートを切り換えるものであり、ここには、着信音等の音声の存在を表示する思想は存在しない。
【００１０】
さらに上掲の特許文献３に開示されたスイッチ装置は、ジャックにプラグが押釦を押している間だけ結合するというものであって、ここにも音声の存在を表示する思想は存在しない。
【００１１】
本発明は上記事情に鑑み、着信音等の音声信号が存在したことを有効に表示し、かつジャックから取り外すことなくジャックと非結合とすることを可能とした音声出力表示装置を提供することを目的とする。
【課題を解決するための手段】
【００１２】
上記目的を達成する本発明の音声出力表示装置は、
音声信号を出力するジャックとジャックへのプラグの差込みを検出するプラグ検出機能とを有する電子機器のジャックに差し込まれジャックを経由して出力される音声信号の中継を担うプラグ部と、
プラグ部を経由して出力されてきた音声信号を受信して、音声信号が途絶えた後において過去に音声信号が出力されていたことを表示する表示部とを有し、
上記プラグ部が、
ジャックに先端部が差し込まれてジャックに保持される基体と、
上記先端部からジャックへの差込方向に突出し、ジャックに対する差込方向および抜取方向にスライド自在に基体に支持されて、ジャックへの差込方向へスライドした状態においてジャックから出力されてきた音声信号を中継する伸縮プラグとを備え、
上記基体が、伸縮プラグを、差込方向および抜取方向にユーザ操作に応じて移動させ、差込方向に移動した伸縮プラグを、上記電子機器によりジャックにプラグが差し込まれたことが検出される第１の位置で保持し、抜取方向に移動した伸縮プラグを、ジャックにプラグが差し込まれたことの検出を免れる第２の位置で保持する操作保持機構を備えたことを特徴とする。
【００１３】
本発明の音声出力表示装置は、ジャックに差し込まれた伸縮プラグを経由して出力されてきた音声信号を受信して、その音声信号が途絶えた後において過去に音声信号が出力されていたことを表示するものであり、ユーザは気が向いたときのみ確認すればよく、ユーザに負担をかけない有効な表示が可能である。また本発明の音声出力表示装置は、伸縮プラグがユーザ操作に応じて上記第１の位置と第２の位置との間でスライドしそれらの各位置でそれぞれ保持されるため、ジャックからプラグ部を取り外すことなく、ジャックと伸縮プラグとの結合、非結合の切換えが可能である。
【００１４】
ここで、本発明の音声出力表示装置において、上記操作保持機構が、基体の後端部に差込方向への押下を受ける操作子を備え、その操作子の押下を繰り返すたびに、伸縮プラグの、差込方向へのスライドと第１の位置での保持、および抜取方向へのスライドと第２の位置での保持を交互に行なう操作保持機構であることが好ましい。
【００１５】
このような操作保持機構を備えることによりジャックと伸縮プラグとの結合、非結合を容易に切り換えることができる。尚、このような操作保持機構は、ノック式のボールペン等に広く採用されている構造である。
【００１６】
また、本発明の音声出力表示装置において、上記表示部が、音声信号出力が途絶えた後において、過去に音声信号が出力されていたことを第１の表示態様で表示するとともに、音声信号出力中にも、音声信号出力中であることを第２の表示態様で表示するものであることが好ましい。
【００１７】
本発明は、音声信号出力が途絶えた後において過去に音声信号が出力されていたことを表示するものであるが、音声信号出力中にも表示することを拒むものではない。音声信号出力中に、過去に音声信号が出力されていたことを表わす第１の表示態様とは異なる第２の表示態様で表示することで、その第２の表示態様での表示を見つけたユーザにとっては、電話に出るなど直ちに対応することができ、より好ましい結果をもたらすことになる。
【発明の効果】
【００１８】
以上の本発明によれば、着信音等の音声信号が存在したことが有効に表示され、かつジャックから取り外すことなくジャックとの間を非結合とすることができる。
【図面の簡単な説明】
【００１９】
【図１】一実施形態としての着信表示装置の外観斜視図である。
【図２】図１に示す着信表示装置１０の回路構成を示すブロック図である。
【図３】信号増幅部３０１における信号増幅の概念を示した模式図である。
【図４】制御部３０２で実行される処理内容を示すフローチャートである。
【図５】プラグ部２０の平面図である。
【図６】プラグ部の分解斜視図である。
【図７】プラグ部の断面図である。
【図８】プラグ部の第２例の、スライドの部分を示した図である。
【図９】図８の矢印Ｃ−Ｃに沿う断面図である。
【図１０】プラグ部の第３例のスライド機構の部分を示した図である。
【図１１】図１０に示す矢印Ｄ−Ｄに沿う断面図である。
【図１２】プラグ部の第４例のカム機構の部分を示した図である。
【図１３】図１２に示す矢印Ｅ−Ｅに沿う断面図である。
【図１４】プラグ部の第５例のカム機構の部分を示した図である。
【図１５】図１４に示す矢印Ｆ−Ｆに沿う断面図である。
【図１６】プラグ部の第６例のシーソースイッチの部分を示した図である。
【図１７】図１６の矢印Ｇ−Ｇ，および矢印Ｈ−Ｈに沿う断面図である。
【発明を実施するための形態】
【００２０】
以下、図面を参照しながら本発明の実施形態を説明する。
【００２１】
図１は、本発明の音声信号出力装置の一実施形態としての、着信表示装置の外観斜視図である。
【００２２】
この着信表示装置１０は、プラグ部２０と着信検出・履歴表示部３０とを有し、それらの間がケーブル６０で接続されている。プラグ２０は、基体２１と、その基体２１の先端部２１ａから突き出た伸縮プラグ２２とを有する。
【００２３】
また、この基体２１はその後端部にプッシュノブ２１１を有する。このプラグ部２０を構成する基体２１の先端部２１ａと、その先端部２１ａから突き出た伸縮プラグ２２は、電子機器（例えばスマートフォン）のイヤホンジャックに差し込まれ、電話やメールの着信音をピックアップする。このプラグ部２０は本発明にいうプラグ部の一例に相当する。
【００２４】
また、着信検出・履歴表示部３０は、外観にあらわれている要素として、筐体３１と、表示ＬＥＤ３２と、確認ボタン３３を有する。
【００２５】
詳細は後述するが、プラグ部２０を経由して着信音信号が入力されると表示ＬＥＤ３２が発光し、確認ボタン３３を押すとその発光が停止する。この着信検出・履歴表示部３０は本発明にいう表示部の一例に相当する。
【００２６】
図２は、図１に示す着信表示装置１０の回路構成を示すブロック図である。
【００２７】
上述の通りプラグ部２０は電子機器１００（一例としてスマートフォン）のイヤホンジャック（図示せず）に接続される。このプラグ部２０は、電子機器１００のイヤホンジャックに取り付けた状態のまま、電子機器１００との接続をオン／オフすることができる構造となっている。詳細は後述する。
【００２８】
着信検出・履歴表示部３０は、信号増幅部３０１と制御部３０２、さらに図１にも示した表示ＬＥＤ３２と確認ボタン３３を有する。
【００２９】
プラグ部２２でピックアップされた着信音信号は着信検出・履歴表示部３０の信号増幅部３０１に入力されて増幅された上で制御部３０２に伝達され、制御部３０２において着信が検出される。また、この制御部３０２は着信を検出すると表示ＬＥＤ３２を発光させる。さらにこの制御部３０２は、確認ボタン３３の押下をモニタしており、確認ボタン３３の押下を検出すると表示ＬＥＤ３２の発光を停止する。
【００３０】
図３は、信号増幅部３０１における信号増幅の概念を示した模式図である。
【００３１】
プラブ部２０からは、図３（Ａ）に一例を示すような微小の着信音信号が伝達されてきて、信号増幅部３０１は、この着信音信号をほぼ飽和するレベルにまで増幅する。ここでは、着信音信号が表わす音声としての情報は不要であって着信音信号が存在するか否かという情報のみ必要である。したがってここでは飽和レベルにまで増幅することで着信音信号の有無の判定を確実ならしめている。
【００３２】
図４は、制御部３０２で実行される処理内容を示すフローチャートである。
【００３３】
制御部３０２には、プログラムを実行するＣＰＵやそのＣＰＵで実行されるプラグラムを記憶するメモリなどからなるマイクロコンピュータが搭載されており、この制御部３０２では、この図４に示す処理が実行される。
【００３４】
図２に示す信号増幅部３０１から図３（Ｂ）に示すような信号の立ち上がりが入力されると信号割込みにより図４に示す処理が開始される。
【００３５】
ここでは先ず図３（Ｂ）に示すような信号が飽和した状態が１秒間継続することが監視される（ステップＳ１１）。具体的には、信号増幅部３０１から入力されてきた信号が‘Ｈ’レベル（ここに示す例では約３Ｖ）にあるか否かが例えば１０ｍｓｅｃ間隔等で定期的に監視される。途中で‘Ｌ’レベルが検出されると次の‘Ｈ’レベルが１秒間の始点となる（ステップＳ１２）。‘Ｈ’レベルが１秒間継続すると（ステップＳ１２）、表示ＬＥＤ３２を点滅させ、着信中であることが表示される（ステップＳ１３）。ここでは表示ＬＥＤ３２は、０．２秒ずつオン、オフを繰り返す点滅表示が行なわれる。確認ボタン３３が押されると（ステップＳ１４）、スリープ状態となり表示ＬＥＤ３２は消灯する。
【００３６】
確認ボタン３３が押されないときは（ステップＳ１４）、図３（Ｂ）に示すような信号が終了したか否かが判定され（ステップＳ１５）、信号継続中はＬＥＤの点滅が続行される（ステップＳ１３）。
【００３７】
確認ボタン３３が押されないまま（ステップＳ１４）信号入力が終了すると（ステップＳ１５）、一例として３秒間待機し（ステップＳ１６）、その後再び表示ＬＥＤ３２を点滅させる（ステップＳ１７）。ただしこの時は、履歴表示、すなわち着信音信号が過去に存在していたことを表わす表示であり、ここでは一例として０．２秒の点灯と２秒の消灯を繰り返す点滅表示が行なわれる。この表示は確認ボタン３３が押されるまで続く（ステップＳ１８）。確認ボタン３３が押されると完全に消灯する。
【００３８】
このフローチャートに示す通り、本実施形態では、着信音が終った後にも表示されるため、ユーザは表示ＬＥＤ３２を常に注視している必要はなく、使い勝手の良い装置となっている。
【００３９】
次に、図１に示す着信表示装置１０を構成するプラグ部２０について説明する。
【００４０】
図５は、プラグ部２０の平面図である。ここで、図５（Ａ）は、伸縮プラグ２２がジャックへの差込方向（矢印Ｐ方向）に移動した状態を示した図であり、図５（Ｂ）は、伸縮プラグ２２がジャックからの抜取方向（矢印Ｒ方向）に移動した状態を示した図である。
【００４１】
上述のとおり、このプラグ部２０は、基体２１と、その基体２１の先端部２１ａからジャックへの差込方向に突き出た伸縮プラグ２２とを有する。基体２１には、図１に示すケーブル６０が通過する穴２１ｂが設けられている。また、この基体２１の後端部には差込方向（矢印Ｐ方向）への押下を受けるプッシュノブ２１１が備えられている。ここでは、基体２１に対する、図５（Ａ）における伸縮プラグ２２の位置を第１の位置、基体２１に対する、図５（Ｂ）における伸縮プラグ２２の位置を第２の位置と称する。
【００４２】
ここで、図５（Ａ）に示す状態にあるときにプッシュノブ２１１が押されると、図５（Ｂ）に示すように、伸縮プラグ２２が抜取方向（矢印Ｒ方向）にスライドしてプッシュノブ２１１が後方に突出した状態となり、伸縮プラグ２２は図５（Ｂ）に示す第２の位置で基体２１に保持される。また、図５（Ｂ）に示す状態にあるときにプッシュノブ２１１が押されると、伸縮プラグ２２が差込方向（矢印Ｐ方向）にスライドして図５（Ａ）に示す第１の位置で基体２１に保持される。このときプッシュノブ２１１は図５（Ｂ）の状態と比べ差込方向（矢印Ｐ方向）に移動した状態にある。すなわち、このプラグ部２０は、基体２１の後端部に備えられたプッシュノブ２１１の押下を繰り返すたびに、伸縮プラグ２２の、差込方向（矢印Ｐ方向）へのスライドと図５（Ａ）に示す第１の位置での保持、および抜取方向（矢印Ｒ方向）へのスライドと図５（Ｂ）に示す第２の位置での保持が交互に繰り返される。
【００４３】
図６は、プラグ部の分解斜視図である。また図７は、プラグ部の断面図である。ただし図７には、プラグが差し込まれるジャックと、そのジャックの接続端子についても模式的に示されている。図７（Ａ），（Ｂ）は、それぞれ図５（Ａ），（Ｂ）に示す矢印Ａ−Ａ，Ｂ−Ｂに沿う縦断面図である。
【００４４】
図６に示す通り、このプラグ部２０は、基体２１と伸縮プラグ２２とを有する。さらに、基体２１は、ケース２１０、プッシュノブ２１１、回転体２１２、テンションスプリング２１３、信号中継板２１４、絶縁樹脂板２１５、ケースの一部を兼ねたグランド電極２１６および樹脂スペーサ２１７から構成されている。
【００４５】
プッシュノブ２１１が押されると、回転体２１２の突起部２１２ａがプッシュノブ２１１の突起２１１ａどうしの隙間２１１ｂに入り込んだ状態（図５（Ｂ）に対応する）と、回転体２１２の突起２１２ａがプッシュノブ２１１の突起２１１ａに押された状態（図５（Ａ）に対応する）が交互に繰り返される。この動作により、伸縮プラグ２２は、プッシュノブ２１１の押下を繰り返すたびに、図５（Ａ）に示す第１の位置での保持と図５（Ｂ）に示す第２の位置での保持を交互に繰り返すことになる。この動作は、テンションスプリング２１３に押された回転体２１２の突起２１２ａの後端の斜面２１２ｂとプッシュノブ２１１の前端の斜面２１１ｃとの相互作用により行われる。この機構は、ノック式のボールペン等に広く採用されている機構であり、ここではこれ以上の詳細説明は省略する。
【００４６】
図７に例示するジャック４０は、プラグが差し込まれる差込スペース４１と、マイク端子４２１、グランド端子４２２、Ｒ端子４２３、およびＬ端子４２４の各接点を有する。マイク端子４２１は、このジャック４０にマイクロホンのプラグが差し込まれたときにそのマイクロホンからの音声信号を受け取る端子である。また、グランド端子４２２は接地用の端子であり、Ｒ端子４２３は、右音声出力用の端子、Ｌ端子４２４は左音声出力用の端子である。
【００４７】
Ｌ端子４２４は、互いに分離した２つのＬ端子４２４ａ，４２４ｂからなり、図７（Ａ）では、それら２つのＬ端子４２４ａ，４２４ｂは、伸縮プラグ２２を介して互いに電気的に短絡されている。図７（Ｂ）の場合は、それら２つのＬ端子４２４ａ，４２４ｂは互いには電気的に接続されていない。図１に示す電子機器１００では、２つのＬ端子４２４ａ，４２４ｂどうしの電気的な短絡の有無が検出され、図７（Ａ）に示すようにそれら２つのＬ端子４２４ａ，４２４ｂが互いに短絡しているとプラグが差し込まれたものと判定され、図７（Ｂ）に示すように互いに電気的に非接続だとプラグが差し込まれていないものと判定される。
【００４８】
プラグ部２０は、その基体２１の先端部２１ａがジャック４０の差込口に差し込まれてジャック４０に保持される。その保持された状態でプッシュノブ２１１を押して図７（Ａ）に示す状態にすると、電子機器１００はプラグが差し込まれたものと判定し、電話やメールの着信があったときはその着信を表わす着信音信号がジャック４０の端子から出力される。本実施形態ではＬ端子４２４から着信音信号のピックアップが行なわれる。着信音信号のピックアップはＲ端子４２３とＬ端子４２４とのうちの一方のみで十分であり、Ｒ端子４２３から出力される着信音信号は本実施形態ではピックアップの対象とはしていない。
【００４９】
伸縮プラグ２２が図７（Ａ）に示す第１の位置にあるときは、電子機器１００によりジャック４０にプラグが差し込まれたことが検出され、着信音信号はＬ端子４２４から伸縮プラグ２２に伝えられ、さらに信号中継板２１４に伝えられる。図１に示すケーブル６０は２本の配線を有し、図７には図示されていないが、２本の配線のプラグ部２０側の一端はそれぞれ信号中継板２１４とグランド電極２１６にハンダ付けされ、穴２１ｂを通って着信検出・履歴表示部３０に延びている。
【００５０】
信号中継板２１４に伝えられた着信音信号は、そのケーブル６０を通って着信検出・履歴表示部３０に伝えられる。着信検出・履歴表示部３０の動作は前述した通りである。
【００５１】
図７（Ａ）の状態にあるプラグ部２０のプッシュノブ２１１を押すと、伸縮プラグ２２は、図７（Ｂ）に示す第２の位置までスライドして２つのＬ端子４２４ａ，４２４ｂどうしの導通が遮断される。すなわち電子機器１００では、ジャック４０からプラグが抜き取られたものと判定され、ジャック４０にプラグが差し込まれていないときの動作が実行される。このように、本実施形態ではジャック４０にプラグ部２０の基体２１の先端部２１ａをジャック４０に差し込んで保持させた状態のまま、着信表示を行わせるか（図７（Ａ））、ジャック４０にプラグが差し込まれていない状態の電子機器１００自体の動作を行なわせるかを切り換えることができる。
【００５２】
以上で本発明の音声出力表示装置の一実施形態としての着信表示装置の説明を終了し、次に、本発明に適用可能な、プラグ部の各種の例を説明する。
【００５３】
図８は、プラグ部の第２例の、スライドの部分を示した図である。なおプラグ部の第１例は、上述の実施形態のプラグ部２０である。
【００５４】
また、図９は、図８の矢印Ｃ−Ｃに沿う断面図である。ただし図９には、断面の上半分のみ示されている。また図９（Ａ），（Ｂ）には、伸縮プラグ２２Ａが、それぞれ差込方向（矢印Ｐ方向）、抜取方向（矢印Ｒ方向）に移動した状態が示されている。後述する図１１，図１３，図１５，図１７でも同様である。
【００５５】
このプラグ部２０Ａには、基体２１Ａにスライド操作子２１１Ａが設けられており、このスライド操作子２１１Ａを矢印Ｐ方向にスライドさせるとそれに伴って伸縮プラグ２２Ａも差込方向（矢印Ｐ方向）に、ジャックの２つのＬ端子を互いに短絡させる第１の位置までスライドする（図９（Ａ）参照）。またスライド操作子２１１Ａを矢印Ｒ方向にスライドさせると、それに伴って伸縮プラグ２２Ａも抜取方向（矢印Ｒ方向）に、ジャックの２つのＬ端子を互いに電気的に切り離す第２の位置にスライドする（図９（Ｂ）参照）。
【００５６】
このように、伸縮プラグ２２Ａをスライド操作子２１１Ａによってスライドさせる構造を採用してもよい。
【００５７】
図１０は、プラグ部の第３例のスライド機構の部分を示した図である。また図１１は図１０に示す矢印Ｄ−Ｄに沿う断面図である。
【００５８】
図１０に示すように、このプラグ部２０Ｂには、回転ノブ２１１Ｂが備えられており、その回転ノブ２１１Ｂの先にはピニオン２１２Ｂが連結されている。また、ここにはそのピニオン２１２Ｂと噛合するラック２１３Ｂが備えられている。このラック２１３Ｂは、図１１に示すように、伸縮プラグ２２Ｂに直結されている。
【００５９】
図１０，図１１に示す第３例のプラグ部２０Ｂの場合、回転ノブ２１１Ｂを一方向に回転させると、伸縮プラグ２２Ｂが差込方向（矢印Ｐ方向）に第１の位置までスライドし（図１１（Ａ））、逆方向に回転させると伸縮プラグ２２Ｂが抜取方向（矢印Ｒ方向）に第２の位置までスライドする（図１１（Ｂ））。
【００６０】
伸縮プラグ２２Ｂを、このようなラック・ピニオン機構によってスライドさせる構造を採用してもよい。
【００６１】
図１２は、プラグ部の第４例のカム機構の部分を示した図である。また図１３は、図１２に示す矢印Ｅ−Ｅに沿う断面図である。
【００６２】
このプラグ部２０Ｃには、伸縮プラグ２２Ｃに固定された回転つまみ２１１Ｃが備えられている。またケース２１０Ｃの内壁面には、図示のような斜めのカム溝２１２Ｃが形成されている。このカム溝２１２Ｃには、伸縮プラグ２２Ｃに直結したカムピン２１３Ｃが嵌り込んでいる。
【００６３】
回転つまみ２１１Ｃを一方向に回すとカムピン２１２Ｃおよび伸縮プラグ２２Ｃが差込方向（矢印Ｐ方向）にスライドし、逆方向に回すと抜取方向（矢印Ｒ方向）にスライドする。
【００６４】
伸縮プラグ２２Ｃを、このようなカム機構によってスライドさせる構造を採用してもよい。
【００６５】
図１４は、プラグ部の第５例のカム機構の部分を示した図である。また、図１５は、図１４に示す矢印Ｆ−Ｆに沿う断面図である。
【００６６】
このプラグ部２０Ｄには、伸縮プラグ２２Ｄに固定された回転つまみ２１１Ｄが備えられている。またケース２１０Ｄの内壁面には、図示のような、波打ちしながら一周するカム溝２１２Ｄが形成されている。このカム溝２１２Ｄには、伸縮プラグ２２Ｄに直結したカムピン２１３Ｄが嵌り込んでいる。
【００６７】
回転つまみ２１１Ｄを正方向と逆方向のいずれの方向に回しても、カムピン２１２Ｄおよび伸縮プラグ２２Ｄは差込方向（矢印Ｐ方向）にスライドし、さらに回すと抜取方向（矢印Ｒ方向）にスライドする。
【００６８】
伸縮プラグ２２Ｄを、このようなカム機構によってスライドさせる構造としてもよい。
【００６９】
図１６は、プラグ部の第６例のシーソースイッチの部分を示した図である。また図１７は、図１６の矢印Ｇ−Ｇ，および矢印Ｈ−Ｈに沿う断面図である。
【００７０】
このプラグ部２０Ｅにはシーソースイッチ２１１Ｅと、伸縮プラグ２２Ｅに固定された中間部材２１２Ｅと、その中間部材２１２Ｅを弾性的に押すスプリング２１３Ｅが備えられている。
【００７１】
シーソースイッチ２１１Ｅが図１６（Ａ）に示す姿勢となるように操作されると、そのシーソースイッチ２１１Ｅにより中間部材２１２Ｅがスプリング２１３Ｅの付勢力に抗して押され、その中間部材２１２Ｅにより伸縮スプリング２２Ｅが押されて差込方向（矢印Ｐ方向）に、図１７（Ａ）に示す第１の位置までスライドする。シーソースイッチ２１１Ｅが図１６（Ｂ）に示す姿勢となるように操作されると、中間部材２１２Ｅはシーソースイッチ２１１Ｅの押下から解放されスプリング２１３Ｅの付勢力により矢印Ｒ方向にスライドする。伸縮プラグ２２Ｅは中間部材２１２Ｅに固定されているため伸縮プラグ２２Ｅも中間部材２１２Ｅのスライドに伴って矢印Ｒ方向に、図１７（Ｂ）に示す第２の位置までスライドする。
【００７２】
伸縮プラグ２２Ｅをこのようなシーソースイッチ２１１Ｅを用いた機構によりスライドさせる構造を採用してもよい。
【００７３】
尚、ここでは、伸縮プラグをスライドさせる各種の構造を説明したが、伸縮プラグは、ここに示した例に限られずどのような構造を採用してスライドさせてもよい。
【００７４】
また、上述の実施形態では、図１に示すように、プラグ部２０と着信検出・履歴表示部３０はケーブル６０で物理的に接続されているが、プラグ部２０と着信検出・履歴表示部３０の間を無線で通信する構成としてもよい。
【００７５】
さらに、上述の実施形態は、図１に示すようにプラグ部２０と着信検出・履歴表示部３０は互いに別体に構成されているが、着信検出・履歴表示部の機能をプラグ部の中に収容してもよい。
【００７６】
さらに、ここでは、電話やメールの着信を取り上げて説明したが、本発明の音声出力表示装置は、電話やメールの着信に限られず、他の種類の音声信号、あるいは音声信号一般を取り扱う装置であってもよい。
【符号の説明】
【００７７】
１０        着信表示装置
２０，２０Ａ，２０Ｂ，２０Ｃ，２０Ｄ，２０Ｅ        プラグ部
２１        基体
２１ａ        先端部
２１ｂ        穴
２２，２２Ａ，２２Ｂ，２２Ｃ，２２Ｄ，２２Ｅ        伸縮プラグ
３０        着信検出・履歴表示部
３１        筐体
３２        表示ＬＥＤ
３３        確認ボタン
４０        ジャック
４１        差込スペース
６０        ケーブル
１００        電子機器
２１０，２１０Ｃ，２１０Ｄ        ケース
２１１        プッシュノブ
２１１Ａ        スライド操作子
２１１ａ        突起
２１１ｂ        隙間
２１１Ｂ        回転ノブ
２１１ｃ，２１２ｂ        斜面
２１１Ｃ，２１１Ｄ        回転つまみ
２１１Ｅ        シーソースイッチ
２１２        回転体
２１２ａ        突起部
２１２Ｂ        ピニオン
２１２Ｃ，２１２Ｄ        カム溝
２１２Ｅ        中間部材
２１３        テンションスプリング
２１３Ｂ        ラック
２１３Ｃ，２１３Ｄ        カムピン
２１３Ｅ        スプリング
２１４        信号中継板
２１５        絶縁樹脂板
２１６        グランド電極
２１７        樹脂スペーサ
３０１        信号増幅部
３０２        制御部
４２１        マイク端子
４２２        グランド端子
４２３        Ｒ端子
４２４，４２４ａ，４２４ｂ        Ｌ端子
【図１】
2014042099.tif 000003
【図２】
2014042099.tif 000004
【図３】
2014042099.tif 000005
【図４】
2014042099.tif 000006
【図５】
2014042099.tif 000007
【図６】
2014042099.tif 000008
【図７】
2014042099.tif 000009
【図８】
2014042099.tif 000010
【図９】
2014042099.tif 000011
【図１０】
2014042099.tif 000012
【図１１】
2014042099.tif 000013
【図１２】
2014042099.tif 000014
【図１３】
2014042099.tif 000015
【図１４】
2014042099.tif 000016
【図１５】
2014042099.tif 000017
【図１６】
2014042099.tif 000018
【図１７】
2014042099.tif 000019